(57)【特許請求の範囲】
【請求項１】
来訪者が押下するボタンと、
前記ボタンの押下に連動して来訪者の人物固有データを読み取る読取手段と、
少なくとも人物固有データ及び属性データを対にして記憶する記憶手段と、
前記読取手段から読み取った人物固有データと前記記憶手段に記憶された人物固有データとを照会し、一致した人物固有データに対応する属性を取り出す照会手段と、
在宅モードと留守モードを切り替えるモード切り替え手段と、 
留守モードであるとき、前記照会手段で取り出した属性の種別に応じて、ドアロックの開錠を許可するか否かを判断し、ドアロックの開錠を許可すべきと判断したとき、ドアロックを解除するドアロック解除手段と、
在宅モードであるとき、前記照会手段で取り出した属性の種別に応じて、応答する応答手段と、
を備えたことを特徴とするドアホン装置。
【請求項２】
前記応答手段は、音声データを出力するスピーカであることを特徴とする、請求項１に記載のドアホン装置。
【発明の詳細な説明】
【０００１】
【発明の属する技術分野】
本発明は個人認証機能を備えたドアホン装置に関するものである。
【０００２】
【従来の技術】
来訪者を何らかの手段で識別し、サービスや防犯に活用するドアホン装置の例として、特開平５−３２７８９５号公報（以下、従来例１）、特開平１１−８８５１６号公報（以下、従来例２）、特開平１１−９８２３７号公報（以下、従来例３）に開示されたものがある。
【０００３】
従来例１には、ドアホンの玄関側設置装置にボタンを２種類以上備え、来訪者が押下するボタンの位置や押下回数によってチャイム音を変更することで、特定の人物を識別する技術が記載されている。
【０００４】
従来例２には、不在時に来訪者があった場合に来訪者の声を音声認識することで個人を特定し、その来訪者に対して予め設定してある優先度に応じた応対(例えば、外出先との直接通話、来訪者の用件録音、不在メッセージの再生)を行なう技術が記載されている。
【０００５】
従来例３には、ドアホンの玄関側設置装置にカメラを備え、その映像から来訪者のアイリスを認識し、予め登録してあるアイリスデータと比較して来訪者の登録の有無を特定し、登録者／未登録者に異なるメッセージを出力する技術が記載されている。
【０００６】
【発明が解決しようとする課題】
しかしながら、従来例１では、来訪者が押下するボタン位置や押下回数を覚えていなければならず、また、適当にボタンを押下しても偶然に照合してしまうことがあり、正確に来訪者を識別することは困難であった。
【０００７】
従来例２では、来訪者を音声認識により識別することで、利用者は外出先にて来訪者の存在を知ったり、直接通話することが可能であるが、来訪者がガイドに従って発声する必要があった。
【０００８】
従来例３では、カメラの映像を元に認識を行うため、来訪者がカメラの視野範囲外に立っていたり、夜間のような場合は識別が困難であった。
【０００９】
さらに、従来例では人物を識別する情報は、来訪者の識別にのみ利用していた。
そこで、本発明は、このような課題に着目してなされたものであり、その目的とするところは、来訪者に特別な操作を強請することがなくかつ高精度の個人認証機能を備えたドアホン装置を提供することにある。
【００１０】
さらに、本発明は、個人認証を来訪者だけでなく屋内からの操作時にも適用することで高度なセキュリティを実現するドアホン装置を提供することにある。
【００１１】
【課題を解決するための手段】
本発明のドアホン装置は、来訪者が押下するボタンと、前記ボタンの押下に連動して来訪者の人物固有データを読み取る読取手段と、少なくとも人物固有データ及び属性を対にして記憶する第一の記憶手段と、少なくとも属性及び応答方法を対にして記憶する第二の記憶手段と、前記読取手段から読み取った人物固有データと前記第一の記憶手段に記憶された人物固有データとを照会し、一致した人物固有データの属性と前記第二の記憶手段に記憶された属性データとを照会し、一致した属性の応答方法を取り出す照会手段と、前記照会手段で取り出した応答方法に従って応答する応答手段とを備えることを特徴とする。
【００１２】
更に、本発明のドアホン装置は、来訪者が押下するボタンと、前記ボタンの押下に連動して来訪者の人物固有データを読み取る読取手段と、少なくとも人物固有データ及び応答方法を対にして記憶する記憶手段と、前記読取手段から読み取った人物固有データと前記記憶手段に記憶された人物固有データとを照会し、一致した人物固有データの応答方法を取り出す照会手段と、前記照会手段で取り出した応答方法に従って応答する応答手段とを備えることを特徴とする。
【００１３】
更に、前記ドアホン装置において、前記人物固有データは指紋であり、前記読取手段は前記ボタンと一体化した状態で装着されている指紋読取装置であることを特徴とする。
【００１４】
更に、前記ドアホン装置において、前記応答方法は音色データであり、前記応答手段は前記音色データを出力するスピーカであることを特徴とする。
【００１５】
更に、前記ドアホン装置において、在宅モードと留守モードを切り替えるモード切り替え手段と、留守モードの時に前記照会手段で取り出した属性が特別な値の場合、ドアロックを解除するドアロック解除手段を備えることを特徴とする。
【００１６】
更に、本発明のドアホン装置は、来訪者が押下する第一のボタンと、前記第一のボタンの押下に連動して来訪者の人物固有データを読み取る第一の読取手段と、少なくとも人物固有データ及び属性及びドアロック解除権を組にして記憶する記憶手段と、ドアロック解除者が押下する第二のボタンと、前記第二のボタンの押下に連動してドアロック解除者の人物固有データを読み取る第二の読取手段と、前記第一の読取手段から読み取った人物固有データと前記記憶手段に記憶された人物固有データとを照会し、一致した人物固有データの属性を取り出し、前記第二の読取手段から読み取った人物固有データと前記記憶手段に記憶された人物固有データとを照会し、一致した人物固有データのドアロック解除権を取り出す照会手段と、前記照会手段で取り出した来訪者の属性がドアロック解除者のドアロック解除権に含まれる場合にドアロックを解除するドアロック解除手段とを備えることを特徴とする。
【００１７】
更に、前記ドアホン装置において、前記人物固有データは指紋であり、前記第一の読取装置及び第二の読取装置は前記第一のボタン及び第二のボタンと一体化した状態で装着されている指紋読取装置であることを特徴とする。
【００１８】
【発明の実施の形態】
本発明の実施の形態を図１〜図５に基づいて説明する。
【００１９】
図１は本発明の個人認証機能を備えたドアホン装置の概略構成図である。
【００２０】
本発明のドアホン装置は、来訪者が操作・応答する屋外装置(１)、居住者が操作・応答する屋内装置(２)、来訪者の認識やサービスの制御を行なう制御装置(３)、チャイム音を出力するスピーカ(４)、玄関の施錠・開錠を電子的に行なうドアロック(５)から構成される。
【００２１】
屋外装置(１)は、呼び出しボタン(１１)、指紋読取器(１２)、通話部(１３)、カメラ部(１４)から構成される。
【００２２】
呼び出しボタン(１１)は、来訪者が居住者に来訪を告げるために押下するボタンで、押下されたタイミングでボタン押下信号を出力する。
【００２３】
指紋読取器(１２)は静電容量型半導体等の画像センサから成り、呼び出しボタン(１１)上に重畳した形で配置し、ボタン押下信号を受け取るタイミングでセンサ上に置かれた指の指紋画像を読み取る。
【００２４】
通話部(１３)はマイク及びスピーカから成り、屋内の居住者との通話を行なう。
カメラ部(１４)はCCDカメラ等の撮像ユニットから成り、来訪者の映像を屋内装置(２)に送信する。
【００２５】
屋内装置(２)は、ドアロック解除ボタン(２１)、指紋読取器(２２)、通話部(２３)、入力・表示部(２４)から構成される。
【００２６】
ドアロック解除ボタン(２１)は、玄関を開錠するためのボタンで、押下されたタイミングでドアロック解除信号を出力する。
【００２７】
指紋読取器(２２)は静電容量型半導体等の画像センサから成り、ドアロック解除ボタン(２１)上に重畳した形で配置し、ドアロック解除信号を受け取るタイミングでセンサ上に置かれた指の指紋画像を読み取る。
【００２８】
通話部(２３)はマイク及びスピーカ、あるいは受話器から成り、屋外の来訪者との通話を行なう。
【００２９】
入力・表示部(２４)はLCD等の表示装置と表示装置上に重畳して配置した感圧タブレット等の入力装置から成り、屋外装置(１)のカメラ部(１４)から送信される映像の表示を行なう。さらに、指紋データの登録や変更を行なうインタフェース(メニューの表示と入力)を提供する。
【００３０】
制御装置(３)は、指紋データバッファ(３１)、データベース(３２)、照合部(３３)、制御部(３４)、DB登録・編集部(３５)から構成される。
【００３１】
指紋データバッファ(３１)はRAMから成り、指紋読取器(１２)(２２)から送信される指紋データを一時的に蓄える。
【００３２】
データベース(３２)はハードディスクや光磁気ディスク等の記憶装置から成り、指紋照合やサービスを決定するためのデータを格納する。データベース(３２)の詳細は後述する。
【００３３】
照合部(３３)は、指紋データバッファ(３１)に蓄えられた指紋データとデータベース(３２)内の指紋データを順次比較し、一致した指紋データのデータベース内でのインデックスを返す。いずれにも一致しなければデータベースが取り得らないインデックス値(例えば-1)を返す。
【００３４】
制御部(３４)は、屋外装置(１)の呼び出しボタン(１１)及び屋内装置(２)のドアロック解除ボタン(２１)に連動して、チャイム発生及びドアロック解除の制御を行なう。
【００３５】
DB登録・編集部(３５)は指紋データのデータベース(３２)への新規登録及び登録済指紋データの編集を行うものであり、ユーザインタフェースを入力・表示部(２４)に表示し、居住者との対話操作で登録・編集処理を行なう。
【００３６】
次に、前述したデータベース(３２)の内部データ構造を、図２を用いて説明する。
【００３７】
図２(a)は、指紋データ、グループ、名前、解除権限のフィールドから成る指紋データテーブル(３２１)である。
【００３８】
指紋データフィールドには、指紋読取器(１２)(２２)から読み込んだ登録者の指紋画像を格納する。あるいは、指紋画像から抽出され指紋照合時に利用される特徴点データを格納するようにしてもよい。
【００３９】
グループフィールドには、登録者が所属するグループを格納する。図２(a)の例では、居住者が所属する「家族」、居住者の親族や知人等が所属する「知人」、前記以外で何度も来訪する客が所属する「その他」が格納されている。グループはDB登録・編集部(３５)により編集することで、新規に追加したり、変更したり、削除できる。
【００４０】
名前フィールドには、登録者の名前を格納する。文字データとしても、音声データとしてもよい。
【００４１】
解除権限フィールドには、来訪者があった時に登録者が屋内からドアロックを解除する権限を持つかどうかを格納する。解除権限の値はグループの組合せで、例えば子供には来訪者が「家族」グループと「知人」グループに属する場合のみドアロック解除を許すといった設定ができる。
【００４２】
図２(b)は、グループ、チャイム音データのフィールドから成るチャイム音設定テーブル(３２２)である。
【００４３】
グループフィールドには、前記指紋データテーブル(３２１)に登録されていない(指紋照合に失敗した)来訪者が所属する「未登録」グループを含んだグループ名を格納する。
【００４４】
チャイム音データフィールドには、グループに所属する来訪者が来た時に出力する音色データを格納する。
【００４５】
次に、来訪者が呼び出しボタン(１１)を押下し、チャイムが鳴るまでの処理手続きを図３のフローチャートに従って説明する。
【００４６】
呼び出しボタン(１１)が押下されてボタン押下信号が出力されるを待つ(Ｓ１０１)。
【００４７】
ボタン押下信号を受信すると、指紋読取器(１２)に置かれた指の指紋画像を読み取り、指紋データバッファ(３１)へ転送する(Ｓ１０２)。
【００４８】
照合部(３３)によりＳ１０２で読み取った指紋データと、データベース(３２)の指紋データテーブル(３２１)に登録されている指紋データを照合する(Ｓ１０３)。
【００４９】
指紋データが一致したかを調べ、一致したらＳ１０５へ、一致しなかったらＳ１０６へそれぞれ進む(Ｓ１０４)。
【００５０】
来訪者の所属グループの値を、指紋データテーブル(３２１)のグループフィールドから読み込む(Ｓ１０５)。
【００５１】
一致しなかった場合は来訪者の所属グループの値を「未登録」に設定する(Ｓ１０６)。
【００５２】
チャイム音設定テーブル(３２２)から、Ｓ１０５及びＳ１０６で求めた来訪者の所属グループに登録してあるチャイム音データを読み込み、スピーカ(４)に出力する(Ｓ１０７)。
【００５３】
これにより、来訪者の所属するグループに応じたチャイム音が出力され、居住者は誰が来訪したのかを瞬時に識別することが可能である。
【００５４】
前記処理はチャイム音を変更するものであったが、グループに応じて特殊な処理を行なわせることもできる。その例として、来訪者が居住者の一員、つまり「家族」グループに属する場合に玄関のドアロックを解除する処理手続きを図４のフローチャートに従って説明する。尚、図４は居住者が留守の場合を想定している。
【００５５】
Ｓ２０１〜Ｓ２０６は図３のフローチャートのＳ１０１〜Ｓ１０６と同じため説明を省略する。
【００５６】
Ｓ２０６までで求めた来訪者の所属グループが「家族」であるかを調べ、「家族」であればＳ２０８へ、「家族」でなければＳ２０９へそれぞれ進む(Ｓ２０７)。
来訪者が「家族」グループの場合、ドアロック(５)を解除する(Ｓ２０８)。
【００５７】
来訪者が「家族」グループでない場合、チャイム音設定テーブル(３２２)から来訪者の所属グループに登録してあるチャイム音データを読み込み、スピーカ(４)に出力する(Ｓ２０９)。
【００５８】
これにより、居住者の一員として登録されている人は、玄関の鍵を携帯することなく、ドアホンの屋外装置(１)の呼び出しボタン(１１)を押下するだけで、ドアロックを解除できる。
【００５９】
これまでの例では、チャイム音設定テーブル（３２２）で来訪者の所属グループに対してそれぞれチャイム音が登録されていたが、各来訪者に対してチャイム音が登録されるようにしてもよい。この場合、チャイム音設定テーブル（３２２）は不要になり、指紋データテーブル（３２１）に新たにチャイム音データフィールドを追加し、各指紋データに対してチャイム音データを登録してやればよい。これにより、来訪者のより詳細な識別が可能となる。
【００６０】
来訪者があると、居住者は屋内から屋内装置(２)の通話部(２３)及び入力・表示部(２４)を通じて来訪者を確認し、必要であれば来訪者を宅内へ入れるためにドアロックを解除する。
【００６１】
次に、屋内装置(２)からドアロックを解除する処理手続きを図５のフローチャートに従って説明する。
【００６２】
ドアロック解除ボタン(２１)が押下されてドアロック解除信号が出力されるを待つ(Ｓ３０１)。
【００６３】
ドアロック解除信号を受信すると、指紋読取器(２２)に置かれた指の指紋画像を読み取り、指紋データバッファ(３１)へ転送する(Ｓ３０２)。
【００６４】
照合部(３３)によりＳ１０２で読み取った指紋データと、データベース(３２)の指紋データテーブル(３２１)に登録されている指紋データのうち「家族」グループに属するものとを照合する(Ｓ３０３)。
【００６５】
指紋データが一致したかを調べ、一致したらＳ３０５へ、一致しなかったらＳ３０６へそれぞれ進む(Ｓ３０４)。
【００６６】
ドアロック解除権限の値を、指紋データテーブル(３２１)の解除権限フィールドから読み込む(Ｓ３０５)。
【００６７】
指紋データが一致しなかった場合はドアロック解除権限の値を「なし」に設定する(Ｓ３０６)。
【００６８】
図３のフローチャートで示したチャイム発生処理手続きで求めた来訪者の所属グループと、Ｓ３０５及びＳ３０６で求めたドアロック解除権限を比較し、来訪者の所属グループがドアロック解除権限に含まれていればＳ３０８に進み、含まれなければ処理を中止しＳ３０１に戻る(Ｓ３０７)。
【００６９】
ドアロック解除ボタン(２１)を押下したのは解除権限を持つ人であると判断し、ドアロック(５)を解除する(Ｓ３０８)。
【００７０】
これにより、部外者がドアロック解除ボタン(２１)を押下してもドアロック(５)は解除されず、また、居住者でも解除権限を個別に設定することにより、例えば子供には来訪者が家族や知人の場合のみドアロック(５)を解除するといったことが可能となり、高度なセキュリティが確保できる。
【００７１】
【発明の効果】
以上の説明から明らかなように、本発明によれば、個々の人間が持つ固有の生体情報をボタンに接触した指から取得するために、来訪者は特別な操作等を覚える必要がなく、外界の雑音等に左右されることのない高精度な個人認証機能を備えるドアホン装置が実現できる効果を奏する。
【００７２】
さらに、個人認証を来訪者だけでなく屋内からの操作時にも適用することで高度なセキュリティを実現するドアホン装置を提供できる効果を奏する。
【図面の簡単な説明】
【図１】本発明の個人認証機能を備えたドアホン装置の概略構成図である。
【図２】データベース(３２)内のテーブル構造図である。
【図３】呼び出しボタン(１１)を押下した時の処理手順を示すフローチャートである。
【図４】呼び出しボタン(１１)を押下した時のもう一つの処理手順を示すフローチャートである。
【図５】ドアロック解除ボタン(２１)を押下した時の処理手順を示すフローチャートである。
【符号の説明】
１    ：屋外装置
１１  ：呼び出しボタン
１２  ：指紋読取器
１３  ：通話部
１４  ：カメラ部
２    ：屋内装置
２１  ：ドアロック解除ボタン
２２  ：指紋読取器
２３  ：通話部
２４  ：入力・表示部
３    ：制御装置
３１  ：指紋データバッファ
３２  ：データベース
３２１：指紋データテーブル
３２２：チャイム音設定テーブル
３３  ：照合部
３４  ：制御部
３５  ：DB登録・編集部
４    ：スピーカ
５    ：ドアロック
【図１】
0004194188.tif 000002
【図２】
0004194188.tif 000003
【図３】
0004194188.tif 000004
【図４】
0004194188.tif 000005
【図５】
0004194188.tif 000006